(57)【特許請求の範囲】
【請求項１】
顕微鏡観察用試料を粘性体を介してプレートへ固定するために用いられる顕微鏡観察用試料の固定用治具であって、
プレス部材により押圧される被押圧面を有する被押圧部と、該被押圧部の前記被押圧面とは反対側の面に設置されると共に、前記顕微鏡観察用試料の観察面の外側を押える少なくとも３つの押え点を有する押え部とを備え、
前記被押圧部の被押圧面と前記少なくとも３つ押え点を含む面とは平行であり、前記押え部が前記観察面の外側を押えたときに、前記観察面にいかなるものも接触しないことを特徴とする顕微鏡観察用試料の固定用治具。
【請求項２】
前記被押圧部には、前記プレス部材による押圧前に前記顕微鏡観察用試料を確認できる確認用孔が形成されていることを特徴とする請求項１に記載の顕微鏡観察用試料の固定用治具。
【請求項３】
前記押え部は、前記被押圧部の前記被押圧面とは反対側の面からそれぞれ突出する少なくとも３つの押え部分からなり、前記少なくとも３つの押え点の各々は、前記少なくとも３つの押え部分の各々の先端に形成されていることを特徴とする請求項１又は２記載の顕微鏡観察用試料の固定用治具。
【請求項４】
前記押え部は、前記被押圧部の前記被押圧面とは反対側に設けられた無端状の押え部分からなり、前記少なくとも３つの押え点は、前記無端状の押え部分の先端に形成されていることを特徴とする請求項１又は２記載の顕微鏡観察用試料の固定用治具。
【請求項５】
前記押え部は、前記被押圧部の前記被押圧面とは反対側に設けられた複数段の無端状の押え部分からなり、前記少なくとも３つの押え点は、前記複数段の無端状の押え部分の各段の先端に形成されていることを特徴とする請求項１又は２記載の顕微鏡観察用試料の固定用治具。
【発明の詳細な説明】
【技術分野】
【０００１】
本発明は、顕微鏡観察用試料を粘性体を介してプレートに対して固定するための固定用治具に関する。
【背景技術】
【０００２】
従来、鉄鋼材料等の金属材料では、金属組織の観察や金属中の非金属介在物の観察などは、光学顕微鏡を用いて行っている（例えば、特許文献１）。図７に従来の光学顕微鏡によって顕微鏡観察用試料を観察する様子を示す。
金属組織の観察や金属中の非金属介在物の観察などは、図７に示すように光学顕微鏡１０１のステージ１０５上に、プレート１２０上に固定した顕微鏡観察用試料１２２を載せて行われる。ここで、光学顕微鏡１０１は、落射照明型顕微鏡が一般的に用いられ、光学顕微鏡１０１を所定箇所に設置するためのベース部１０２と、ベース部１０２の後端から立設された支持部１０３と、支持部１０３の上端からベース部１０２に対向するように前方に延びるアーム部１０４とを備えている。支持部１０３には、ベース部１０２とアーム部１０４との間において昇降可能なステージ１０５が設けられている。アーム部１０４の後端には、観察用の光を出射する光源１０６が設けられ、アーム部１０４の前端上部には、接眼レンズ１０７を設けた鏡筒１０８が配置されている。また、アーム部１０４には、鏡筒１０８と対向する位置に複数（図７においては１個のみ図示）の対物レンズ１０９を着脱自在に取り付けたレボルバ１１０が設けられている。
【０００３】
ここで、顕微鏡観察用試料１２２は、プレート１２０上に、例えば、粘土、樹脂、接着剤などの粘性変形を伴う粘性体１２１を介して固定される。この状態で光学顕微鏡１０１のステージ１０５上に載置される。顕微鏡観察用試料１２２のプレート１２０上への固定に際しては、観察時に対物レンズ１０９のピントが合うようにするために、対物レンズ１０９の下面と顕微鏡観察用試料１２２の観察面１２２ａとが平行であることが必要になる。対物レンズ１０９の下面とステージ１０５の上面とは平行に設定されているから、対物レンズ１０９の下面と顕微鏡観察用試料１２２の観察面１２２ａとが平行であるためには、ステージ１０５上に載置されるプレート１２０の下面と顕微鏡観察用試料１２２の観察面１２２ａとが平行でなくてはならない。
【０００４】
ステージ１０５上に載置されるプレート１２０の下面と顕微鏡観察用試料１２２の観察面１２２ａとが平行となるように、顕微鏡観察用試料１２２をプレート１２０上に粘性体１２１を介して固定するために、従来、図８に示すプレス装置２０１を用いて顕微鏡観察用試料１２２をプレート１２０上に固定している。
図８に示すプレス装置２０１は、台座部２０２と、プレス機構支持部２０３と、プレス機構２０４とを備えている。
【０００５】
台座部２０２は、平板で構成され、その上面には、プレート１２０、粘性体１２１、及び顕微鏡観察用試料１２２を重ねたものが載置される。
プレス機構支持部２０３は、台座部２０２の一端から立設された第１支持部２０３ａと、支持部２０３ａの上端から台座部２０２に対向するように延びる第２支持部２０３ｂとを備えている。
【０００６】
プレス機構２０４は、平板状の基板部２０５と、基板２０５の下側に配置されるとともに、基板部２０５と平行に支軸２０６及び案内軸２０７によって連結されたプレス板２０９とを備えている。プレス機構２０４の支軸２０６及び案内軸２０７は、プレス機構支持部２０３の第２支持部２０３ｂに上下移動可能に支持されている。そして、支軸２０６の外周であって基板部２０５の下面と第２支持部２０３ｂの上面との間には、基板部２０５を介してプレス板２０９を、常時、上方に付勢する圧縮スプリング２０８が設けられている。そして、プレス板２０９の下面と台座部２０２の上面とは、平行となっている。
【０００７】
ここで、プレス装置２０１を用いて顕微鏡観察用試料１２２をプレート１２０上に固定するに際しては、先ず、プレート１２０を載置し、プレート１２０上に粘性体１２１を重ね、さらにその粘性体１２１の上に観察面１２２ａを研磨した顕微鏡観察用試料１２２を重ねる。
次いで、プレス板２０９を含むプレス機構２０４を、図示しない操作部材を操作して下方向（図８における矢印Ｐで示す方向）に下降させる。プレス機構２０４は、所定ストローク下降するように調整されている。
【０００８】
すると、プレス板２０９の下面が顕微鏡観察用試料１２２の観察面１２２ａを含む上面を押圧し、顕微鏡観察用試料１２２が粘性体１２１に若干入り込んだ状態でプレート１２０に固定される。顕微鏡観察用試料１２２がプレート１２０に固定された状態では、プレス板２０９の下面と台座部２０２の上面とは平行となっているから、顕微鏡観察用試料１２２の観察面１２２ａを含む上面とプレート１２０の下面とは平行となる。
【０００９】
なお、顕微鏡観察用試料１２２の観察面１２２ａを含む上面にはプレス板２０９の下面が直接押圧するようになっているが、顕微鏡観察用試料１２２の観察面１２２ａを含む上面上にペーパーを置き、その上方からプレス板２０９の下面を押圧するようにことも行なわれている。ここで、ペーパーとは、紙状のものを指し、例えば、レンズクリーナーやティッシュペーパーなどのような紙状のもののことを意味する。
【先行技術文献】
【特許文献】
【００１０】
【特許文献１】特開２００７−２７０９３２号公報
【発明の概要】
【発明が解決しようとする課題】
【００１１】
しかしながら、この従来の顕微鏡観察用試料のプレートへの固定方法にあっては、以下の問題点があった。
即ち、プレート１２０上に粘性体１２１、顕微鏡観察用試料１２２を重ね、プレス板２０９で顕微鏡観察用試料１２２の観察面１２２ａを含む上面を直接押圧する方法では、顕微鏡観察用試料１２２の観察面１２２ａにプレート２０９の下面が直接接触する。このため、顕微鏡観察用試料１２２の観察面１２２ａが傷つくおそれがあった。当該観察面１２２ａが傷つくと、金属組織観察の妨げとなるので、再度、顕微鏡観察用試料１２２の観察面１２２ａを研磨する必要があった。また、非金属介在物の観察では、観察面１２２ａについた傷と非金属介在物との見分けがつきにくくなり、非金属介在物の顕微鏡試験でのデータの信頼性の低下を招いたりしていた。このため、再度、顕微鏡観察用試料１２２の観察面１２２ａを研磨する必要があった。ここで、非金属介在物の顕微鏡試験とは、ＪＩＳ  Ｇ  ０５５５に記載の非金属介在物の顕微鏡試験方法のことである。
【００１２】
また、顕微鏡観察用試料１２２の観察面１２２ａを含む上面上にペーパーを置き、その上方からプレス板２０９を押圧する方法では、顕微鏡観察用試料１２２の観察面１２２ａを傷つけるおそれはない。しかしながら、プレス板２０９でペーパー上面を押圧したときに、ペーパーに付着していた異物や、ペーパー自体の繊維が観察面１２２ａに付着してしまうことがある。この場合、ブロワーやスプレーなどで異物や繊維を吹き飛ばしても、すべてが観察面１２２ａから除去できず、金属組織観察の妨げとなったり、非金属介在物の顕微鏡試験でのデータの信頼性の低下を招いたりしていた。このため、再度、顕微鏡観察用試料１２２の観察面１２２ａを研磨する必要があった。ここで、ブロワーやスプレーとは、ノズルから気体を出し、埃などを吹き飛ばすものであり、エアダスター、ダストブロワーや温風乾燥機などである。
【００１３】
従って、本発明はこの従来の問題点を解決するためになされたものであり、その目的は、光学顕微鏡を用いて行う金属組織の観察や鋼中の非金属介在物の観察に際し、観察面に傷や異物などが付かないように顕微鏡観察用試料を粘性体を介してプレートに対して固定することが可能な顕微鏡観察用試料の固定用治具を提供することにある。
【課題を解決するための手段】
【００１４】
上記目的を達成するために、本発明のある態様に係る顕微鏡観察用試料の固定用治具は、顕微鏡観察用試料を粘性体を介してプレートへ固定するために用いられる顕微鏡観察用試料の固定用治具であって、レス部材により押圧される被押圧面を有する被押圧部と、該被押圧部の前記被押圧面とは反対側の面に設置されると共に、前記顕微鏡観察用試料の観察面の外側を押える少なくとも３つの押え点を有する押え部とを備え、前記被押圧部の被押圧面と前記少なくとも３つ押え点を含む面とは平行であり、前記押え部が前記観察面の外側を押えたときに、前記観察面にいかなるものも接触しないことを特徴としている。
【００１５】
この顕微鏡観察用試料の固定用治具によれば、被押圧部の被押圧面がプレス部材により押圧され、押え部の少なくとも３つの押え点が顕微鏡観察用試料の観察面の外側を押え、顕微鏡観察用試料が粘性体に若干入り込んだ状態でプレートに固定される。顕微鏡観察用試料がプレートに固定された状態では、固定用治具の被押圧面と少なくとも３つの押え点を含む面とは平行であるから、プレス部材の下面と観察面を含む顕微鏡観察用試料の上面とが平行となり、結果として、顕微鏡観察用試料の観察面を含む上面とプレートの下面とは平行となる。そして、固定用治具の少なくとも３つの押え点が顕微鏡観察用試料の観察面の外側を押え、顕微鏡観察用試料の観察面には固定用治具のいかなる部分も接触しないようにしている。このため、顕微鏡観察用試料の観察面が傷つくおそれはない。また、顕微鏡観察用試料の観察面を含む上面上にペーパーを置く必要もないので、異物が観察面に付着してしまうこともない。
【００１６】
また、この顕微鏡観察用試料の固定用治具において、前記被押圧部には、前記プレス部材による押圧前に前記顕微鏡観察用試料を確認できる確認用孔が形成されていることが好ましい。
この顕微鏡観察用試料の固定用治具によれば、確認用孔によりプレス部材による押圧前に顕微鏡観察用試料を確認できるので、固定用治具の少なくとも３つの押え点が顕微鏡観察用試料の観察面を押えることがないよう確認することができる。
【００１７】
更に、この顕微鏡観察用試料の固定用治具において、前記押え部は、前記被押圧部の前記被押圧面とは反対側の面からそれぞれ突出する少なくとも３つの押え部分からなり、前記少なくとも３つの押え点の各々は、前記少なくとも３つの押え部分の各々の先端に形成されているとよい。
また、この顕微鏡観察用試料の固定用治具において、前記押え部は、前記被押圧部の前記被押圧面とは反対側に設けられた無端状の押え部分からなり、前記少なくとも３つの押え点は、前記無端状の押え部分の先端に形成されているとよい。
【００１８】
また、この顕微鏡観察用試料の固定用治具において、前記押え部は、前記被押圧部の前記被押圧面とは反対側に設けられた複数段の無端状の押え部分からなり、前記少なくとも３つの押え点は、前記複数段の無端状の押え部分の各段の先端に形成されているとよい。
この顕微鏡観察用試料の固定用治具によれば、顕微鏡観察用試料の大きさが複数ある場合に、それぞれの大きさの顕微鏡観察用試料の観察面の外側を複数段の無端状の押え部分の各段で押えるようにすれば、１つの固定用治具で複数の大きさの顕微鏡観察用試料をプレート上に固定することができる。
【発明の効果】
【００１９】
本発明に係る顕微鏡観察用試料の固定用治具は、少なくとも３つの押え点が顕微鏡観察用試料の観察面の外側を押え、顕微鏡観察用試料が粘性体に若干入り込んだ状態でプレートに固定される。顕微鏡観察用試料がプレートに固定された状態では、固定用治具の被押圧面と少なくとも３つの押え点を含む面とは平行であるから、プレス部材の下面と観察面を含む顕微鏡観察用試料の上面とが平行となり、結果として、顕微鏡観察用試料の観察面を含む上面とプレートの下面とは平行となる。そして、固定用治具の少なくとも３つの押え点が顕微鏡観察用試料の観察面の外側を押えるから、顕微鏡観察用試料の観察面にはプレス部材の下面や固定用治具など、いかなるものも接触しない。このため、顕微鏡観察用試料の観察面が傷つくおそれはない。また、顕微鏡観察用試料の観察面を含む上面上にペーパーを置く必要もないので、異物が観察面に付着してしまうこともない。従って、光学顕微鏡を用いて行う金属組織の観察や鋼中の非金属介在物の観察に際し、観察面に傷や異物などが付かないように顕微鏡観察用試料を粘性体を介してプレートに対して固定することが可能な顕微鏡観察用試料の固定用治具を提供できる。
【図面の簡単な説明】
【００２０】
【図１】本発明に係る顕微鏡観察用試料の固定用治具の第１実施形態を示し、（Ａ）は平面図、（Ｂ）は正面図である。
【図２】プレス装置及び図１に示す固定用治具を用いて顕微鏡観察用試料をプレート上に固定する様子を説明するための図である。
【図３】本発明に係る顕微鏡観察用試料の固定用治具の第２実施形態を示し、（Ａ）は平面図、（Ｂ）は正面図である。
【図４】本発明に係る顕微鏡観察用試料の固定用治具の第３実施形態を示し、（Ａ）は平面図、（Ｂ）は（Ａ）における４Ｂ−４Ｂ線に沿う断面図である。
【図５】本発明に係る顕微鏡観察用試料の固定用治具の第４実施形態を示し、（Ａ）は平面図、（Ｂ）は（Ａ）における５Ｂ−５Ｂ線に沿う断面図である。
【図６】図５に示す本発明に係る固定用治具を用いて顕微鏡観察用試料をプレート上に固定する様子を説明するための図である。
【図７】従来の光学顕微鏡によって顕微鏡観察用試料を観察する様子を説明するための略図である。
【図８】従来のプレス装置を用いて顕微鏡観察用試料をプレート上に固定する様子を説明するための図である。
【発明を実施するための形態】
【００２１】
以下、本発明の実施の形態を図面を参照して説明する。図１は、本発明に係る顕微鏡観察用試料の固定用治具の第１実施形態を示し、（Ａ）は平面図、（Ｂ）は正面図である。図２は、プレス装置及び図１に示す固定用治具を用いて顕微鏡観察用試料をプレート上に固定する様子を説明するための図である。図２において、図８に示す部材と同一の部材については同一の符号を付し、その説明を省略することがある。
【００２２】
図１に示す顕微鏡観察用試料の固定用治具１は、光学顕微鏡１０１（図７参照）を用いて行う金属組織の観察や鋼中の非金属介在物の観察に際し、図２に示すように、顕微鏡観察用試料１２２を粘性体１２１を介してプレート１２０へ固定するために用いられるものである。ここで、顕微鏡観察用試料１２２は、樹脂１２３に埋め込まれた試料であるが、樹脂１２３に埋め込まれない試料単体であってもよい。ここで、粘性体１２１とは、例えば、粘土、樹脂、接着剤などの粘性変形を伴うものを意味する。
【００２３】
固定用治具１は、図１（Ａ），（Ｂ）及び図２に示すように、プレス板（プレス部材）２０９により押圧される被押圧面１０ａを有する被押圧部１０と、顕微鏡観察用試料１２２の観察面１２２ａの外側を押える少なくとも３つ（本実施形態にあっては３つ）の押え点Ａ，Ｂ,Ｃを有する押え部２０とを備えている。固定用治具１は、合成樹脂材により形成されている。
ここで、被押圧部１０は、図１（Ａ），（Ｂ）に示すように、円板状に形成され、被押圧部１０の上面はプレス板２０９により押圧される被押圧面１０ａを構成する。
【００２４】
そして、押え部２０は、被押圧部１０の被押圧面１０ａとは反対側の面１０ｂ、即ち被押圧部１０の下面に設置されており、前記面１０ｂからそれぞれ下方に突出する少なくとも３つ（本実施形態にあっては３つ）の円柱状の押え部分２０ａ，２０ｂ，２０ｃからなっている。そして、少なくとも３つの押え点Ａ，Ｂ,Ｃの各々は、少なくとも３つの押え部分２０ａ，２０ｂ，２０ｃの各々の先端に形成されている。押え点Ａ，Ｂ,Ｃは、図１（Ａ）に示すように、被押圧部１０の中心Ｏを中心として円周方向に押え点Ａ，Ｂのなす角度θａｂ＝１２０°、押え点Ｂ，Ｃのなす角度θｂｃ＝１２０°、押え点Ｃ，Ａのなす角度θｃＡ＝１２０°の等間隔に配置されている。押え点の数は、３つに限らず、少なくとも３つあればよい。
【００２５】
ここで、顕微鏡観察用試料１２２の観察面１２２ａは、予め決められた大きさに設定され、顕微鏡観察用試料１２２が単体の場合には、少なくとも３つの押え点Ａ，Ｂ,Ｃは顕微鏡観察用試料１２２の上で観察面１２２ａの外側を押え、図２に示すように、顕微鏡観察用試料１２２がカーボンなどの樹脂１２３に埋め込まれている場合には、少なくとも３つの押え点Ａ，Ｂ,Ｃは顕微鏡観察用試料１２２の上で観察面１２２ａの外側を押えるか、あるいは樹脂１２３の上で観察面１２２ａの外側を押えるようにする。
そして、図１（Ｂ）に示すように、被押圧部１０の被押圧面１０ａ（図１（Ｂ）において面Ｓ１０で表す）と少なくとも３つの押え点Ａ，Ｂ，Ｃを含む面Ｓ２０とは平行となっている。
【００２６】
この固定用治具１を用いて、顕微鏡観察用試料１２２を粘性体１２１を介してプレート１２０へ固定する際には、図２に示すように、先ず、プレート１２０をプレス装置２０１の台座部２０２上に載置し、プレート１２０上に粘性体１２１を重ねる。このとき観察面１２２ａは粘性体１２１とは反対側（図２においては上側）に位置させる。さらにその粘性体１２１の上に観察面１２２ａを研磨した顕微鏡観察用試料１２２を埋め込んだ樹脂１２３を重ねる。観察面１２２ａを含む顕微鏡観察用試料１２２の上面と樹脂１２３の上面とは面一となっている。
【００２７】
次いで、固定用治具１を、少なくとも３つの押え点Ａ，Ｂ，Ｃが観察面１２２ａの外側となるように顕微鏡観察用試料１２２を埋め込んだ樹脂１２３上に置く。
そして、プレス板２０９を含むプレス機構２０４を、図示しない操作部材を操作して下方向（図２における矢印Ｐで示す方向）に下降させる。プレス機構２０４は、所定ストローク下降するように調整されている。
【００２８】
すると、プレス板２０９の下面が固定用治具１の被押圧部１０の被押圧面１０ａを押圧し、固定用治具１の押え点Ａ，Ｂ,Ｃが顕微鏡観察用試料１２２の観察面１２２ａの外側を押え、顕微鏡観察用試料１２２が埋設された樹脂１２３が粘性体１２１に若干入り込んだ状態でプレート１２０に固定される。顕微鏡観察用試料１２２を含む樹脂１２３がプレート１２０に固定された状態では、固定用治具１の被押圧面１０ａ（面Ｓ１０）と押え点Ａ，Ｂ，Ｃを含む面Ｓ２０とは平行であるから、プレス板２０９の下面と観察面１２２ａを含む顕微鏡観察用試料１２２の上面及び樹脂１２３の上面とが平行となり、プレス板２０９の下面と台座部２０２の上面とは平行となっているから、顕微鏡観察用試料１２２の観察面１２２ａを含む上面とプレート１２０の下面とは平行となる。
【００２９】
ここで、プレス板２０９の下面が固定用治具１の被押圧部１０の被押圧面１０ａを押圧し、固定用治具１の押え点Ａ，Ｂ，Ｃが顕微鏡観察用試料１２２の観察面１２２ａの外側を押えるから、顕微鏡観察用試料１２２の観察面１２２ａにはプレス板２０９の下面や固定用治具１など、いかなるものも接触しない。このため、顕微鏡観察用試料１２２の観察面１２２ａが傷つくおそれはない。また、顕微鏡観察用試料１２２の観察面１２２ａを含む上面上にペーパーを置く必要もないので、異物が観察面１２２ａに付着してしまうこともない。
【００３０】
そして、プレート１２０を光学顕微鏡のステージに載置することにより、粘性体１２１を介してプレート１２０へ固定された顕微鏡観察用試料１２２を含む樹脂１２３は、例えば、図７に示した光学顕微鏡１０１のステージ１０５上に載置されて、顕微鏡観察用試料１２２の金属組織の観察や金属中の非金属介在物の観察が行われる。
【００３１】
次に、本発明に係る顕微鏡観察用試料の固定用治具の第２実施形態を、図３（Ａ），（Ｂ）を参照して説明する。図３は、本発明に係る顕微鏡観察用試料の固定用治具の第２実施形態を示し、（Ａ）は平面図、（Ｂ）は正面図である。図３において、図１に示す部材と同一の部材については同一の符号を付し、その説明を省略することがある。
図３（Ａ），（Ｂ）に示す顕微鏡観察用試料の固定用治具１は、図１（Ａ），（Ｂ）に示す固定用治具１と基本構成は同様であるが、被押圧部１０には、プレス板２０９による押圧時に顕微鏡観察用試料１２２を確認できる確認用孔３０が形成されている点で図１（Ａ），（Ｂ）に示す固定用治具１と異なっている。
【００３２】
即ち、被押圧部１０の中央部には、丸孔形状の確認用孔３０が形成されている。確認用孔３０は、被押圧部１０の被押圧面１０ａから反対側の面１０ｂにかけて貫通している。確認用孔３０は、丸孔で形成されているが、顕微鏡観察用試料１２２を観察できればその直径の大きさは問わない。また、確認用孔３０の形状は、丸孔ではなく、多角形状の孔であってもよい。
【００３３】
そして、この固定用治具１を用いて、顕微鏡観察用試料１２２を粘性体１２１を介してプレート１２０へ固定する際には、図２に示すように、先ず、プレート１２０をプレス装置２０１の台座部２０２上に載置し、プレート１２０上に粘性体１２１を重ねる。さらにその粘性体１２１の上に観察面１２２ａを研磨した顕微鏡観察用試料１２２を埋め込んだ樹脂１２３を重ねる。
【００３４】
次いで、固定用治具１を、少なくとも３つの押え点Ａ，Ｂ，Ｃが観察面１２２ａの外側となるように顕微鏡観察用試料１２２を埋め込んだ樹脂１２３上に置く。この際に、被押圧部１０に形成された確認用孔３０から顕微鏡観察用試料１２２を確認できる。このため、押え点Ａ，Ｂ，Ｃが顕微鏡観察用試料１２２の観察面１２２ａを押えることがないよう確認することができる。
【００３５】
そして、プレス板２０９を含むプレス機構２０４を、図示しない操作部材を操作して下方向に下降させる。これにより、プレス板２０９の下面が固定用治具１の被押圧部１０の被押圧面１０ａを押圧し、固定用治具１の押え点Ａ，Ｂ,Ｃが顕微鏡観察用試料１２２の観察面１２２ａの外側を押え、顕微鏡観察用試料１２２が埋設された樹脂１２３が粘性体１２１に若干入り込んだ状態でプレート１２０に固定される。この際に、図１に示す固定用治具１を用いた場合と同様に、固定用治具１の被押圧面１０ａ（面Ｓ１０）と押え点Ａ，Ｂ，Ｃを含む面Ｓ２０とは平行であるから、顕微鏡観察用試料１２２の観察面１２２ａを含む上面とプレート１２０の下面とは平行となる。
【００３６】
また、図１に示す固定用治具１を用いた場合と同様に、固定用治具１の押え点Ａ，Ｂ,Ｃが顕微鏡観察用試料１２２の観察面１２２ａの外側を押えるから、顕微鏡観察用試料１２２の観察面１２２ａにはプレート２０９の下面や固定用治具１など、いかなるものも接触しない。このため、顕微鏡観察用試料１２２の観察面１２２ａが傷つくおそれはない。また、顕微鏡観察用試料１２２の観察面１２２ａを含む上面上にペーパーを置く必要もないので、異物が観察面１２２ａに付着してしまうこともない。
【００３７】
更に、本発明に係る顕微鏡観察用試料の固定用治具の第３実施形態を、図４（Ａ），（Ｂ）を参照して説明する。図４は、本発明に係る顕微鏡観察用試料の固定用治具の第３実施形態を示し、（Ａ）は平面図、（Ｂ）は（Ａ）における４Ｂ−４Ｂ線に沿う断面図である。図４において、図１に示す部材と同一の部材については同一の符号を付し、その説明を省略することがある。
【００３８】
図４（Ａ），（Ｂ）に示す顕微鏡観察用試料の固定用治具１は、図１（Ａ），（Ｂ）に示す固定用治具１と基本構成は同様であるが、押え部２０の構成、形状が異なっている。
即ち、図１（Ａ），（Ｂ）に示す固定用治具１の押え部２０は、被押圧部１０の被押圧面１０ａとは反対側の面１０ｂからそれぞれ下方に突出する少なくとも３つの円柱状の押え部分２０ａ，２０ｂ，２０ｃからなっている。そして、少なくとも３つの押え点Ａ，Ｂ,Ｃの各々は、少なくとも３つの押え部分２０ａ，２０ｂ，２０ｃの各々の先端に形成されている。
【００３９】
これに対して、図４（Ａ）,(Ｂ)に示す押え部２０は、被押圧部１０の被押圧面１０ａとは反対側の面１０ｂから突出する無端状（本実施形態にあっては、環状に形成されている）の押え部分２１からなり、少なくとも３つの押え点Ａ，Ｂ，Ｃ，Ｄ，・・・は、無端状の押え部分２１の先端に形成されている。すなわち、複数の押え点が連続して押え面を形成しており、この押え面が無端状の押え部分２１を形成している。環状に形成された押え部分２１の内径は、押え部分２１が顕微鏡観察用試料１２２の観察面１２２ａに接触しない大きさに設定されている。
【００４０】
そして、図４（Ｂ）に示すように、被押圧部１０の被押圧面１０ａ（図４（Ｂ）において面Ｓ１０で表す）と押え点Ａ，Ｂ，Ｃ，Ｄ，・・・が連続することで形成された押え面を含む面Ｓ２１とは平行となっている。
このように構成された固定用治具１を用いて、顕微鏡観察用試料１２２を粘性体１２１を介してプレート１２０へ固定すると、固定用治具１の押え面が顕微鏡観察用試料１２２の観察面１２２ａの外側を押え、顕微鏡観察用試料１２２が埋設された樹脂１２３が粘性体１２１に若干入り込んだ状態でプレート１２０に固定される。この際に、図１に示す固定用治具１を用いた場合と同様に、固定用治具１の被押圧面１０ａ（面Ｓ１０）と押え面を含む面Ｓ２１とは平行であるから、顕微鏡観察用試料１２２の観察面１２２ａを含む上面とプレート１２０の下面とは平行となる。
【００４１】
また、固定用治具１の押え面が顕微鏡観察用試料１２２の観察面１２２ａの外側を押えるから、顕微鏡観察用試料１２２の観察面１２２ａにはプレート２０９の下面や固定用治具１など、いかなるものも接触しない。このため、顕微鏡観察用試料１２２の観察面１２２ａが傷つくおそれはない。また、顕微鏡観察用試料１２２の観察面１２２ａを含む上面上にペーパーを置く必要もないので、異物が観察面１２２ａに付着してしまうこともない。
【００４２】
最後に、本発明に係る顕微鏡観察用試料の固定用治具の第４実施形態を、図５（Ａ），（Ｂ）を参照して説明する。図５は、本発明に係る顕微鏡観察用試料の固定用治具の第４実施形態を示し、（Ａ）は平面図、（Ｂ）は（Ａ）における５Ｂ−５Ｂ線に沿う断面図である。図５において、図４に示す部材と同一の部材については同一の符号を付し、その説明を省略することがある。
【００４３】
図５（Ａ），（Ｂ）に示す顕微鏡観察用試料の固定用治具１は、図４（Ａ），（Ｂ）に示す固定用治具１と基本構成は同様であるが、押え部２０の構成、形状が異なっている。
即ち、図４（Ａ），（Ｂ）に示す固定用治具１の押え部２０は、被押圧部１０の被押圧面１０ａとは反対側の面１０ｂから突出する無端状（第３実施形態においては環状に形成されている）の押え部分２１からなり、少なくとも３つの押え点Ａ，Ｂ，Ｃ，Ｄ，・・・は、無端状の押え部分２１の先端に形成されている。
【００４４】
これに対して、図５（Ａ）,(Ｂ)に示す押え部２０は、被押圧部１０の被押圧面１０ａとは反対側に設けられた複数段（本実施形態にあっては６段）の無端状（本実施形態にあっては、環状に形成されている）の押え部分２２ａ，２２ｂ，２２ｃ，２２ｄ，２２ｅ，２２ｆからなり、少なくとも３つの押え点Ａ，Ｂ，Ｃ，Ｄ，・・・は、複数段の無端状の押え部分２２ａ，２２ｂ，２２ｃ，２２ｄ，２２ｅ，２２ｆの各段の先端に形成されている。すなわち、押え点Ａ１，Ｂ１，Ｃ１，Ｄ１，・・・が連続して押え面を形成しており、この押え面が無端状の押え部分２２ａを形成しており、押え点Ａ２，Ｂ２，Ｃ２，Ｄ２，・・・が連続して押え面を形成しており、この押え面が無端状の押え部分２２ｂを形成しており、押え点Ａ３，Ｂ３，Ｃ３，Ｄ３，・・・が連続して押え面を形成しており、この押え面が無端状の押え部分２２ｃを形成しており、押え点Ａ４，Ｂ４，Ｃ４，Ｄ４，・・・が連続して押え面を形成しており、この押え面が無端状の押え部分２２ｄを形成しており、押え点Ａ５，Ｂ５，Ｃ５，Ｄ５，・・・が連続して押え面を形成しており、この押え面が無端状の押え部分２２ｅを形成しており、押え点Ａ６，Ｂ６，Ｃ６，Ｄ６，・・・が連続して押え面を形成しており、この押え面が無端状の押え部分２２ｆを形成している。１段目の押え部分２２ａから６段目の押え部分２２ｆにかけて徐々にその外径が小さくなっており、それぞれの押え部分が形成する環状の中心は一致している。また、１段目の押え部部２２ａから６段目の押え部分２２ｆにかけて、それぞれの押え面の被押圧面１０ａからの距離が小さくなっている。
【００４５】
そして、被押圧部１０の中央部には、図３（Ａ），（Ｂ）に示す固定治具１と同様に、丸孔形状の確認用孔３０が形成されている。確認用孔３０は、被押圧部１０の被押圧面１０ａから反対側の面１０ｂにかけて貫通しており、面１０ｂは押え部分２２ｆを兼ねている。
そして、図５（Ｂ）に示すように、被押圧部１０の被押圧面１０ａ（図５（Ｂ）において面Ｓ１０で表す）と、各段の環状の押え部分２２ａ，２２ｂ，２２ｃ，２２ｄ，２２ｅ，２２ｆにそれぞれ形成された押え面を含む面Ｓ２２ａ，Ｓ２２ｂ，Ｓ２２ｃ，Ｓ２２ｄ，Ｓ２２ｅ，Ｓ２２ｆとは平行となっている。
【００４６】
この固定用治具１は、顕微鏡観察用試料１２２（樹脂１２３に埋め込まれている場合を含む）の径の大きさが複数（押え部分２２ａ，２２ｂ，２２ｃ，２２ｄ，２２ｅ，２２ｆは６段に形成されているから、少なくとも６個以上）ある場合に、その径の大きさに合わせて複数段の押え部分２２ａ，２２ｂ，２２ｃ，２２ｄ，２２ｅ，２２ｆのうちのいずれかで顕微鏡観察用試料１２２を押えるようにすればよい。これにより、顕微鏡観察用試料１２２の径の大きさの数に合わせた数の治具は必要とせずに、それらをまとめた１つの固定用治具とすることができる。
【００４７】
図６（Ａ）は、顕微鏡観察用試料１２２が樹脂１２３に埋め込まれており、樹脂１２３の径ｄが押え部分２２ｆの外径よりも小さく確認用孔３０の内径よりは大きい場合の、本実施形態に係る固定用治具１の使用状態を示す図である。この場合、樹脂１２３の上面に押え部分２２ｆを合わせて固定用治具１を樹脂１２３の上面に載せると、押え部分２２ｆは観察面の外側のみで樹脂１２３に接触する。図６（Ｂ）は、顕微鏡観察用試料１２２が樹脂１２３に埋め込まれており、樹脂１２３の径ｄが押え部分２２ｄの外径よりも小さく押え部分２２ｅの内径よりは大きい場合の、本実施形態に係る固定用治具１の使用状態を示す図である。この場合、樹脂１２３の上面に押え部分２２ｄを合わせて固定用治具１を樹脂１２３の上面に載せると、押え部分２２ｄは観察面の外側のみで樹脂１２３に接触する。このように、押え部分を複数段とすることにより、多種類の径の試料に対応することが可能となる。
【００４８】
このように構成された固定用治具１を用いて、顕微鏡観察用試料１２２を粘性体１２１を介してプレート１２０へ固定すると、図６に示すように、複数段の押え部分２２ａ，２２ｂ，２２ｃ，２２ｄ，２２ｅ，２２ｆのうちの選択された押え部分にある押え面が顕微鏡観察用試料１２２の観察面１２２ａの外側を押え、顕微鏡観察用試料１２２が埋設された樹脂１２３が粘性体１２１に若干入り込んだ状態でプレート１２０に固定される。この際に、プレス板２０９の下面と台座部２０２の上面とは平行であり、固定用治具１の被押圧面１０ａ（面Ｓ１０）と複数の押え面を含む面Ｓ２２ａ，Ｓ２２ｂ，Ｓ２２ｃ，Ｓ２２ｄ，Ｓ２２ｅ，Ｓ２２ｆとは平行であるから、プレス板２０９により被押圧面１０ａを押圧すると顕微鏡観察用試料１２２の観察面１２２ａを含む上面と台座部２０２に置かれたプレート１２０の下面とは平行となる。
【００４９】
また、固定用治具１の押え面が顕微鏡観察用試料１２２の観察面１２２ａの外側を押えるから、顕微鏡観察用試料１２２の観察面１２２ａにはプレート２０９の下面や固定用治具１など、いかなるものも接触しない。このため、顕微鏡観察用試料１２２の観察面１２２ａが傷つくおそれはない。また、顕微鏡観察用試料１２２の観察面１２２ａを含む上面上にペーパーを置く必要もないので、異物が観察面１２２ａに付着してしまうこともない。
【００５０】
以上、本発明の実施形態について説明してきたが、本発明はこれに限定されずに種々の変更、改良を行うことができる。
例えば、前述した第１の実施形態あるいは第２の実施形態のように、固定用治具１において、押え点はＡ，Ｂ,Ｃの３つではなく、少なくとも３つ以上あればよい。
また、本実施形態のように、押え点をＡ，Ｂ,Ｃの３つとした場合、被押圧部１０の中心Ｏを中心として円周方向に押え点Ａ，Ｂのなす角度θａｂ＝１２０°、押え点Ｂ，Ｃのなす角度θｂｃ＝１２０°、押え点Ｃ，Ａのなす角度θｃＡ＝１２０°の等間隔に配置されている必要は必ずしもない。
【００５１】
更に、被押圧部１０は、必ずしも円板状に形成されている必要はない。
また、図４（Ａ），（Ｂ）に示した環状に形成されている押え部分２１は、必ずしも環状に形成されている必要はなく、無端状に形成されていればよい。
また、図５（Ａ），（Ｂ）に示した複数段の環状に形成されている押え部分２２ａ，２２ｂ，２２ｃ，２２ｄ，２２ｅ，２２ｆは、それぞれ必ずしも環状に形成されている必要はなく、無端状に形成されていればよい。
【符号の説明】
【００５２】
１  顕微鏡観察用試料の固定用治具
１０  被押圧部
１０ａ  被押圧面
１０ｂ  被押圧部の被押圧面とは反対側の面
２０  押え部
２０ａ  押え部分
２０ｂ  押え部分
２０ｃ  押え部分
２１  無端状の押え部分
２２ａ，２２ｂ，２２ｃ，２２ｄ，２２ｅ，２２ｆ  複数段の無端状の押え部分
３０  確認用孔
１０１  光学顕微鏡
１０２  ベース部
１０３  支持部
１０４  アーム部
１０５  ステージ
１０６  光源
１０７  接眼レンズ
１０８  鏡筒
１０９  対物レンズ
１１０  レボルバ
１２０  プレート
１２１  粘性体
１２２  顕微鏡観察用試料
１２２ａ  観察面
２０１  プレス装置
２０２  台座部
２０３  プレス機構支持部
２０３ａ  第１支持部
２０３ｂ  第２支持部
２０４  プレス機構
２０５  基板部
２０６  支軸
２０７案内軸
２０８  圧縮スプリング
２０９  プレス板（プレス部材）
Ａ，Ｂ，Ｃ，Ｄ  押え点
【図１】
0006020369.tif 000002
【図２】
0006020369.tif 000003
【図３】
0006020369.tif 000004
【図４】
0006020369.tif 000005
【図５】
0006020369.tif 000006
【図６】
0006020369.tif 000007
【図７】
0006020369.tif 000008
【図８】
0006020369.tif 000009